(57)【特許請求の範囲】
【請求項１】
フィールド機器と通信を行って、前記フィールド機器からの情報の取得及び前記フィールド機器に対する情報の設定を行う機器設定装置において、
ネットワークに接続されたときに、当該ネットワークを介してアクセス可能に接続される１つの外部記憶手段から、他の機器設定装置で用いられた情報を他装置情報として自動的に一括して取得するデータ伝搬処理部と、
前記他の機器設定装置の各々についての前記他装置情報を個別に記憶する他装置情報保存部と
を備えることを特徴とする機器設定装置。
【請求項２】
前記データ伝搬処理部は、前記他装置情報保存部に前記他装置情報が既に記憶されている前記他の機器設定装置についての前記他装置情報を取得した場合に、取得した前記他装置情報が、前記他装置情報保存部に記憶されている当該他装置情報よりも新しいものであるときに、当該他装置情報を取得した前記他装置情報に更新することを特徴とする請求項１記載の機器設定装置。
【請求項３】
自機器設定装置で用いられた情報を自装置情報として記憶する自装置情報保存部と、
前記自装置情報及び前記他装置情報を統合して表示するデータ表示処理部と
を備えることを特徴とする請求項１または２記載の機器設定装置。
【請求項４】
前記外部記憶手段が、複数の前記機器設定装置で用いられた情報を記憶する共有記憶手段であり、
前記データ伝搬処理部は、自機器設定装置で用いられた情報を自装置情報として前記共有記憶手段に入力すると共に、前記共有記憶手段に記憶された前記他装置情報を取得する
ことを特徴とする請求項１〜３いずれか一項に記載の機器設定装置。
【請求項５】
前記外部記憶手段が、他の機器設定装置の１つであり、
前記データ伝搬処理部は、当該他の機器設定装置に当該他の機器設定装置以外の他の機器設定装置に関する前記他装置情報が別の他装置情報として記憶されているときに、当該別の他装置情報も取得する
ことを特徴とする請求項１〜３いずれか一項に記載の機器設定装置。
【請求項６】
コンピュータを、フィールド機器と通信を行って、前記フィールド機器からの情報の取得及び前記フィールド機器に対する情報の設定を行う機器設定手段として機能させる機器設定プログラムであって、
前記コンピュータを、当該コンピュータがネットワークに接続されたときに、当該ネットワークを介して接続される１つの外部記憶手段から、他の機器設定手段で用いられた情報を他装置情報として自動的に一括して取得するデータ伝搬処理手段と、
前記他の機器設定装置の各々についての前記他装置情報を個別に記憶する他装置情報保存手段と
して機能させることを特徴とする機器設定プログラム。
【請求項７】
フィールド機器と通信を行って、前記フィールド機器からの情報の取得及び前記フィールド機器に対する情報の設定を行う機器設定手段としてコンピュータを機能させる機器設定プログラムを格納する記憶媒体であって、
前記機器設定プログラムは、
前記コンピュータを、当該コンピュータがネットワークに接続されたときに、当該ネットワークを介して接続される１つの外部記憶手段から、他の機器設定手段で用いられた情報を他装置情報として自動的に一括して取得するデータ伝搬処理手段と、
前記他の機器設定装置の各々についての前記他装置情報を個別に記憶する他装置情報保存手段と
して機能させることを特徴とする記憶媒体。
【請求項８】
複数の機器設定装置間の情報共有化方法において、
フィールド機器と通信を行って、前記フィールド機器からの情報の取得及び前記フィールド機器に対する情報の設定を行う前記機器設定装置が、ネットワークに接続される工程と、
当該ネットワークを介して前記機器設定装置にアクセス可能に接続される１つの外部記憶手段から、他の機器設定装置で用いられた情報が他装置情報として前記機器設定装置に自動的に一括して入力される工程と、
前記他の機器設定装置の各々についての前記他装置情報を個別に記憶する工程と
を備えることを特徴とする複数の機器設定装置間の情報共有化方法。
【発明の詳細な説明】
【技術分野】
【０００１】
本発明は、機器設定装置、機器設定プログラム、記憶媒体及び複数の機器設定装置間の情報共有化方法に関するものである。
【背景技術】
【０００２】
従来から、プラントや工場等（以下、これらを総称する場合には「プラント」という）においては、フィールド機器と呼ばれる現場機器（測定器、操作器）と、これらを制御する制御装置とが通信手段を介して接続された分散制御システム（ＤＣＳ：Distributed Control System）が構築されており、高度な自動操業が実現されている。このような分散制御システムが構築されたプラントにおいては、異常な動作の予防、測定精度の維持等の観点から、作業者によるフィールド機器のメンテナンスが定期又は不定期に行われる。
【０００３】
フィールド機器のメンテナンスは、例えば特許文献１及び２に示すように、フィールド機器との間で有線通信又は無線通信が可能であって、フィールド機器の設定や調整を行うための専用のツール（機器設定調整ツール）がインストールされたノート型又はタブレット型のコンピュータやＰＤＡ（Personal Digital Assistant）等の機器設定装置を用いて行われることが多い。具体的に、フィールド機器のメンテナンス時には、作業者が機器設定装置を操作してメンテナンス対象のフィールド機器に設定されている機器情報（パラメータ）の内容を読み出して確認する作業や、作業者が機器設定装置を操作して新たな機器情報をフィールド機器に設定する作業が行われる。
【先行技術文献】
【特許文献】
【０００４】
【特許文献１】特開２０１１−８６１１９号公報
【特許文献２】特開２０１３−７７１９７号公報
【発明の概要】
【発明が解決しようとする課題】
【０００５】
ところで、一般的にはプラントには多数のフィールド機器が設置されているため、メンテナンス時間の短縮等のために、複数の機器設定装置によって複数のフィールド機器に対して並行してメンテナンスが行われる。各機器設定装置には、メンテナンス時にフィールド機器から入力された情報に基づいてメンテナンスを行ったフィールド機器に対応付けられた保全情報（機器情報、設定情報及び操作履歴等を含む情報）が生成されるが、複数の機器設定装置を用いる場合には、これらの機器設定装置間において保全情報が共有化されていない。このため、ある機器設定装置を使用する作業者が既にメンテナンスを行ったフィールド機器に対して、他の機器設定装置を使用する作業者が同様のメンテナンスを行うというような重複作業が発生する可能性がある。
【０００６】
このような重複作業を回避するために、現在では、保全情報を一元管理する専用の共有サーバを設置し、各機器設定装置に対して共有サーバが記憶する保全情報を展開することで、保全情報の共有化を行っている。具体的には、夜間等のメンテナンス作業の合間に各機器設定装置をネットワークに接続し、ネットワークを介して各機器設定装置で生成された保全情報を共有サーバにアップロードし、さらに各機器設定装置が他の機器設定装置で生成された保全情報をダウンロードしている。
【０００７】
しかしながら、このような保全情報の共有化の作業を行うためには、作業者は、共有サーバにアップロードされた多数の保全情報から、自らが使用する機器設定装置以外の機器設定装置に対応付けられた保全情報を探し、これらを選択してダウンロードを行う必要がある。このため、保全情報の共有化のための作業は、作業者に対する負担となっている。  また、このような専用の共有サーバを設けての保全情報の共有化は、作業者の負担を増加させるのみならず、共有サーバの設置に伴ってコストの増加も招くことになる。
【０００８】
なお、このような問題は、保全情報の共有化を行う場合に限られるものではなく、どのような種類の情報であっても、機器設定装置ごとに記憶された情報を全ての機器設定装置で共有化しようとした場合に生じるものである。
【０００９】
本発明は、上述する問題点に鑑みてなされたもので、複数の機器設定装置の各々が用いる情報を簡単に共有化することができる機器設定装置、機器設定プログラム、記憶媒体及び複数の機器設定装置間の情報共有化方法を提供することを目的とする。
【課題を解決するための手段】
【００１０】
上記課題を解決するために、本発明の機器設定装置（２）は、フィールド機器（Ｆ）と通信を行って、上記フィールド機器からの情報の取得及び上記フィールド機器に対する情報の設定を行う機器設定装置において、ネットワーク（５）に接続されたときに、当該ネットワークを介してアクセス可能に接続される外部記憶手段（２、３）から、他の機器設定装置で用いられた情報を他装置情報（Ｑ２、Ｑ３）として自動的に一括して取得するデータ伝搬処理部（１０）と、上記他装置情報を記憶する他装置情報保存部（２５ｂ）とを備えることを特徴としている。
この発明によると、ネットワーク接続時に、ネットワーク上に設けられた外部記憶手段に格納された他装置情報が自動的に一括してデータ搬送処理部に取得され、他装置情報保存部に記憶される。
また、本発明の機器設定装置は、上記データ伝搬処理部が、取得した上記他装置情報が、先に他装置情報保存部に記憶された他装置情報よりも新しいものであるときに上記他装置情報の更新を行うことを特徴としている。
また、本発明の機器設定装置は、自機器設定装置で用いられた情報を自装置情報（Ｑ１）として記憶する自装置情報保存部（２５ａ）と、上記自装置情報及び上記他装置情報を統合して表示するデータ表示処理部（２０）とを備えることを特徴としている。
また、本発明の機器設定装置は、上記外部記憶手段が、複数の上記機器設定装置で用いられた情報を記憶する共有記憶手段（３）であり、上記データ伝搬処理部が、自機器設定装置で用いられた情報を自装置情報として上記共有記憶手段に入力すると共に、上記共有記憶手段に記憶された上記他装置情報を取得することを特徴としている。
また、本発明の機器設定装置は、上記外部記憶手段が、他の機器設定装置であり、上記データ伝搬処理部が、当該他の機器設定装置に当該他の機器設定装置以外の他の機器設定装置に関する上記他装置情報が別の他装置情報として記憶されているときに、当該別の他装置情報も取得することを特徴としている。
また、本発明の機器設定プログラム（Ｐ）は、コンピュータを、フィールド機器（Ｆ）と通信を行って、上記フィールド機器からの情報の取得及び上記フィールド機器に対する情報の設定を行う機器設定手段（２）として機能させる機器設定プログラムであって、上記コンピュータを、当該コンピュータがネットワーク（５）に接続されたときに、当該ネットワークを介して接続される外部記憶手段（２、３）から、他の機器設定手段で用いられた情報を他装置情報（Ｑ２、Ｑ３）として自動的に一括して取得するデータ伝搬処理手段（１０）と、上記他装置情報を記憶する他装置情報保存手段（２５ａ）として機能させることを特徴としている。
また、本発明の記憶媒体（Ｍ）は、フィールド機器（Ｆ）と通信を行って、上記フィールド機器（Ｆ）からの情報の取得及び上記フィールド機器に対する情報の設定を行う機器設定手段（２）としてコンピュータを機能させる機器設定プログラム（Ｐ）を格納する記憶媒体であって、上記機器設定プログラムが、上記コンピュータを、当該コンピュータがネットワークに接続されたときに、当該ネットワークを介して接続される外部記憶手段（２、３）から、他の機器設定手段で用いられた情報を他装置情報（Ｑ２、Ｑ３）として自動的に一括して取得するデータ伝搬処理手段（１０）と、上記他装置情報を記憶する他装置情報保存手段（２５ａ）として機能させることを特徴としている。
また、本発明の複数の機器設定装置（２）間の情報共有化方法は、フィールド機器（Ｆ）と通信を行って、上記フィールド機器からの情報の取得及び上記フィールド機器に対する情報の設定を行う上記機器設定装置が、ネットワーク（５）に接続される工程と、当該ネットワークを介して上記機器設定装置にアクセス可能に接続される外部記憶手段（２、３）から、他の機器設定装置で用いられた情報が他装置情報（Ｑ２、Ｑ３）として上記機器設定装置に自動的に一括して入力される工程とを備えることを特徴としている。
【発明の効果】
【００１１】
本発明によれば、機器設定装置（あるいは機器設定手段）がネットワークに接続されたときに、当該ネットワークを介して接続される外部記憶手段から、他の機器設定装置（あるいは他の機器設定手段）で用いられた情報を他装置情報として自動的に一括して取得するようにしている。このため、複数の機器設定装置の各々が用いる情報を簡単に共有化することができる。
【図面の簡単な説明】
【００１２】
【図１】本発明の一実施形態である携帯端末装置が用いられるフィールド機器設定システムの全体構成を簡略的に示すブロック図である。
【図２】本発明の一実施形態による携帯端末装置の要部構成を示すブロック図である。
【図３】本発明の一実施形態による携帯端末装置が共有ディスクから他端末データを取得することで情報の共有化を行うときの携帯端末装置及び共有ディスクの動作を示すフローチャート図である。
【図４】本発明の一実施形態による携帯端末装置が共有ディスクから他端末データを取得することで情報の共有化を行うときのデータ移行の様子を示す模式図である。
【図５】共有化された保全情報の表示例を示した模式図である。
【図６】本発明の一実施形態による携帯端末装置同士が情報の共有化を行うときの携帯端末装置の動作を示すフローチャート図である。
【図７】本発明の一実施形態による携帯端末装置同士が情報の共有化を行うときのデータ移行の様子を示す模式図である。
【発明を実施するための形態】
【００１３】
以下、図面を参照して、本発明に係る機器設定装置、機器設定プログラム、記憶媒体及び複数の機器設定装置間の情報共有化方法の一実施形態について説明する。
【００１４】
［フィールド機器設定システム］
図１は、本発明の機器設定装置（機器設定手段）の一実施形態である携帯端末装置２が用いられるフィールド機器設定システム１の全体構成を簡略的に示すブロック図である。フィールド機器設定システム１は、プラントに設置されるフィールド機器Ｆと通信を行って、フィールド機器Ｆからの情報の取得及びフィールド機器に対する情報の設定を行うものである。フィールド機器Ｆは、例えば流量計や温度センサ等のセンサ機器、流量制御弁や開閉弁等のバルブ機器、ファンやモータ等のアクチュエータ機器、その他のプラントの現場に設置される機器である。なお、図１においては、フィールド機器Ｆが３つのみ図示されているが、実際にはプラントに対して多数のフィールド機器Ｆが設置されている。
【００１５】
フィールド機器設定システム１は、図１に示すように、複数の携帯端末装置２と、共有ディスク３（外部記憶手段、共有記憶手段）と、端末装置４と、ネットワーク５とを備えている。なお、本実施形態においては、説明を簡便として理解を容易とするために、３つの携帯端末装置２（携帯端末装置２ａ、携帯端末装置２ｂ及び携帯端末装置２ｃ）が設けられた構成とする。ただし、さらに多数の携帯端末装置を備える構成を採用することも可能である。
【００１６】
携帯端末装置２は、プラント内でメンテナンス作業を行う作業者に携帯される端末装置であり、フィールド機器Ｆと通信を行って、フィールド機器Ｆに格納されている各種情報を取得して表示するとともに、フィールド機器Ｆの設定を行う。これらの携帯端末装置２は、有線あるいは近距離無線あるいは工業用途に用いられる無線（ISA100.11a、Wireless
HART等）にてフィールド機器Ｆと接続され、フィールド機器Ｆとの間で通信を行うことで、フィールド機器Ｆを特定する機器情報、フィールド機器Ｆに設定された設定情報、及びフィールド機器Ｆで測定された測定情報等を取得して表示する。また、携帯端末装置２は、作業者の指示に従ってフィールド機器Ｆに対する設定を行う。なお、これらの携帯端末装置２は、常時ネットワーク５に接続されているものではなく、例えばオフィス等の特定の場所やフィールド機器Ｆの設定の際にネットワーク５に接続される。
【００１７】
共有ディスク３は、ネットワーク５と常時接続された記憶装置であり、例えばハードディスク装置からなる。この共有ディスク３は、フィールド機器設定システム１の専用のものである必要はなく、他のシステムと兼用されるものであっても良い。このような共有ディスク３は、ネットワーク５を介して各携帯端末装置２から入力された情報（後に説明する自端末データＱ１）を記憶する。
【００１８】
端末装置４は、ネットワーク５を介した通信を行うことが可能な据え置き型の端末装置であり、本フィールド機器設定システム１の管理者によって使用される。この端末装置４は、各携帯端末装置２からネットワーク５を介して入力された情報や各携帯端末装置２をアップデートするための情報等を統括的に管理している。
【００１９】
ネットワーク５は、各携帯端末装置２、共有ディスク３及び端末装置４を通信可能に接続するものである。このネットワーク５は、携帯端末装置２同士を直接通信可能にも接続する。このネットワーク５は、特に限定されるものではなく、インターネット等を利用することもできるが、セキュリティを考慮すると、プラントに設けられたＬＡＮ（Local Area Network）を用いることが好ましい。なお、このＬＡＮは、有線及び無線のいずれであっても良い。
【００２０】
このようなフィールド機器設定システム１においては、特定の携帯端末装置２から見た場合には、他の携帯端末装置２及び共有ディスク３が本発明の外部記憶手段となる。すなわち、携帯端末装置２ａから見た場合、携帯端末装置２ｂ、携帯端末装置２ｃ及び共有ディスク３が本発明の外部記憶手段となる。また、携帯端末装置２ｂから見た場合、携帯端末装置２ａ、携帯端末装置２ｃ及び共有ディスク３が本発明の外部記憶手段となる。また、携帯端末装置２ｃから見た場合、携帯端末装置２ａ、携帯端末装置２ｂ及び共有ディスク３が本発明の外部記憶手段となる。
【００２１】
［携帯端末装置２の構成］
図２は、本発明の一実施形態による携帯端末装置２の要部構成を示すブロック図である。図２に示すように、携帯端末装置２は、通信部２１と、表示部２２と、入力部２３と、読取部２４と、記憶部２５と、制御部２６とを備えている。
【００２２】
通信部２１は、制御部２６の制御の下、フィールド機器Ｆとの通信を行うとともに、ネットワーク５を通じた通信も行う。表示部２２は、ディスプレイ等からなり、制御部２６の制御の下、記憶部２５に記憶された情報や制御部２６において生成された情報を可視化して表示する。入力部２３は、キーボードやマウス等を備える入力装置からなり、作業者の操作に応じた指示を制御部２６に入力する。
【００２３】
読取部２４は、ＣＤ−ＲＯＭ（Compact Disc Read Only Memory）等のリムーバブルメディアＭに格納された情報を読み出して制御部２６に入力する。このリムーバブルメディアＭは、本発明の記憶媒体に相当し、後述するプログラムＰ（機器設定プログラム）を格納している。このようなリムーバブルメディアＭに格納されたプログラムＰは、読取部２４によって制御部２６に入力され、制御部２６によって記憶部２５に書き込まれる。
【００２４】
記憶部２５は、ＲＡＭ（Random Access Memory）等の揮発性のメモリ、或いはフラッシュＲＯＭ（Read Only Memory）やＥＥＰＲＯＭ（Electrically Erasable and Programmable ＲＯＭ）等の不揮発性のメモリからなる。この記憶部２５は、自端末データＱ１（自装置情報）を記憶する自端末データ保存部２５ａ（自装置情報保存部）と、第１他端末データＱ２（他装置情報）及び第２他端末データＱ３（他装置情報）を記憶する他端末データ保存部２５ｂ（他装置情報保存部、他装置情報保存手段）と、プログラムＰを記憶するプログラム記憶部２５ｃとを備えている。
【００２５】
ここで、自端末データＱ１とは、この自端末データＱ１が記憶される記憶部２５を備える携帯端末装置２で用いられた情報をパッケージ化したものであり、各フィールド機器Ｆに紐付けされて取得された保全情報を含んでいる。なお、この保全情報には、例えば、フィールド機器Ｆの機器情報、フィールド機器Ｆに対して行った設定情報及び操作履歴、作業者が入力した確認事項等が含まれる。
【００２６】
第１他端末データＱ２とは、この第１他端末データＱ２が記憶される記憶部２５を備える携帯端末装置２以外の２つの携帯端末装置２のうちの一方で用いられた情報をパッケージ化されたものであり、自端末データＱ１と同様に、各フィールド機器Ｆに紐付けされて取得された保全情報を含んでいる。
【００２７】
第２他端末データＱ３とは、この第２他端末データＱ３が記憶される記憶部２５を備える携帯端末装置２以外の２つの携帯端末装置２のうちの他方（すなわち第１他端末データＱ２を生成した携帯端末装置２と異なるもう一方の携帯端末装置２）で用いられた情報をパッケージ化されたものであり、自端末データＱ１と同様に、各フィールド機器Ｆに紐付けされて取得された保全情報を含んでいる。
【００２８】
例えば、携帯端末装置２ａから見た場合、自端末データＱ１は自らが生成する保全情報を含む情報がパッケージ化されたものであり、第１他端末データＱ２が携帯端末装置２ｂで生成された保全情報を含む情報がパッケージ化されたものであり、第２他端末データＱ３が携帯端末装置２ｃで生成された保全情報を含む情報がパッケージ化されたものである。なお、携帯端末装置２ａから見た場合、携帯端末装置２ｂで生成された保全情報を含む情報がパッケージ化されたものを第２他端末データＱ３とし、携帯端末装置２ｃで生成された保全情報を含む情報がパッケージ化されたものを第１他端末データＱ２とすることも可能である。ただし、説明の便宜上、本実施形態においては、携帯端末装置２ｂで生成された保全情報を含む情報がパッケージ化されたものを第１他端末データＱ２とし、携帯端末装置２ｃで生成された保全情報を含む情報がパッケージ化されたものを第２他端末データＱ３とする。
【００２９】
なお、携帯端末装置２ｂから見た場合には、第１他端末データＱ２が携帯端末装置２ａ（あるいは携帯端末装置２ｃ）で生成された保全情報を含む情報がパッケージ化されたものであり、第２他端末データＱ３が携帯端末装置２ｃ（あるいは携帯端末装置２ａ）で生成された保全情報を含む情報がパッケージ化されたものとなる。また、携帯端末装置２ｃから見た場合には、第１他端末データＱ２が携帯端末装置２ａ（あるいは携帯端末装置２ｂ）で生成された保全情報を含む情報がパッケージ化されたものであり、第２他端末データＱ３が携帯端末装置２ｂ（あるいは携帯端末装置２ａ）で生成された保全情報を含む情報がパッケージ化されたものとなる。
【００３０】
プログラムＰは、制御部２６による処理を処理手順に沿って書き記した制御プログラムであり、上述のように、リムーバブルメディアＭから読取部２４を通じて記憶部２５に書き込まれている。なお、プログラムＰは、リムーバブルメディアＭから読み込むのではなく、ネットワーク５を通じて取得するようにしても良い。
【００３１】
このプログラムＰは、携帯端末装置２がネットワーク５に接続されたときに、携帯端末装置２を、第１他端末データＱ２及び第２他端末データＱ３を自動的に一括して取得するデータ伝搬処理部１０（データ伝搬処理手段）として機能させる。このとき、プログラムＰは、ネットワーク５を介して同時接続される他の装置（他の携帯端末装置２及び共有ディスク３）に第１他端末データＱ２及び第２他端末データＱ３のいずれかのみが存在するときには存在するもののみを取得させ、第１他端末データＱ２及び第２他端末データＱ３のいずれも存在しない場合には、そのまま処理を終了させる。すなわち、プログラムＰは、携帯端末装置２がネットワーク５に接続されたときに、ネットワーク５を介して同時接続される他の装置（他の携帯端末装置２及び共有ディスク３）に存在する他の携帯端末装置２で用いられる情報を自動的に一括して取得させる。
【００３２】
また、プログラムＰは、携帯端末装置２を、自端末データＱ１を記憶する自端末データ保存部２５ａとして機能させ、第１他端末データＱ２及び第２他端末データＱ３記憶する他端末データ保存部２５ｂとして機能させる。さらに、プログラムＰは、携帯端末装置２を、自端末データＱ１と、第１他端末データＱ２あるいは／及び第２他端末データＱ３とを統合して表示するデータ表示処理部２０として機能させる。
【００３３】
制御部２６は、携帯端末装置２の動作を統括して制御する。本実施形態において、この制御部２６は、データ処理部２６ａ及びデータ統合部２６ｂを備えている。データ処理部２６ａは、上述した保全情報を生成するとともに、この保全情報を含む自端末データＱ１を生成する。このデータ処理部２６ａは、通信部２１とともにデータ伝搬処理部１０を構成している。このように構成されたデータ伝搬処理部１０は、上述のように、携帯端末装置２がネットワーク５に接続されたときに、ネットワーク５を介して同時接続される他の装置（他の携帯端末装置２及び共有ディスク３）に記憶された第１他端末データＱ２及び第２他端末データＱ３を自動的に一括して取得する。
【００３４】
また、データ伝搬処理部１０は、他端末データ保存部２５ｂに先に記憶された第１他端末データＱ２あるいは第２他端末データＱ３が存在するときに、後に取得した第１他端末データＱ２あるいは第２他端末データＱ３が、先に他端末データ保存部２５ｂに記憶された第１他端末データＱ２あるいは第２他端末データＱ３よりも新しく生成されたものであるときに、第１他端末データＱ２あるいは第２他端末データＱ３の上書き処理を行う。例えば、データ伝搬処理部１０は、先に記憶された第１他端末データＱ２あるいは第２他端末データＱ３のタイムスタンプと、後に取得した第１他端末データＱ２あるいは第２他端末データＱ３のタイムスタンプとを比較することで、どちらが最新の情報であるかを判定し、最新の情報が他端末データ保存部２５ｂに残るように上書き処理を行うか否かの判断を行う。
【００３５】
また、データ伝搬処理部１０は、共有ディスク３から第１他端末データＱ２あるいは／及び第２他端末データＱ３を取得するときには、自端末データＱ１を共有ディスク３に入力する。また、データ伝搬処理部１０は、他の携帯端末装置２から第１他端末データＱ２あるいは／及び第２他端末データＱ３を取得するときには、自端末データＱ１を他の携帯端末装置２に入力することなく、第１他端末データＱ２あるいは／及び第２他端末データＱ３を取得する。なお、他の携帯端末装置２側において、無条件に自端末データＱ１を受け付ける設定がなされているような場合には、自端末データＱ１を他の携帯端末装置２に入力しても良い。
【００３６】
データ統合部２６ｂは、自端末データ保存部２５ａに記憶された自端末データＱ１と、他端末データ保存部２５ｂに記憶された第１他端末データＱ２あるいは／及び第２他端末データＱ３とを統合処理する。このデータ統合部２６ｂは、表示部２２とともにデータ表示処理部２０を構成している。このように構成されたデータ表示処理部２０は、上述のように、自端末データＱ１と、第１他端末データＱ２あるいは／及び第２他端末データＱ３とを統合して表示する。
【００３７】
なお、このように構成された携帯端末装置２は、不図示のＭＰＵ（Micro-Processing Unit）等のハードウェア資源を備えるコンピュータからなり、ソフトウェアであるプログラムＰに基づいてＭＰＵ等が動作されることによって上述の機能を実現している。すなわち、携帯端末装置２の機能は、ソフトウェアとハードウェア資源とが協働することによって実現される。
【００３８】
［携帯端末装置２の動作］
次に、プログラムＰに基づいて、複数の携帯端末装置２間で情報を共有化するための携帯端末装置２の動作（複数の機器設定装置間の情報共有化方法）について説明する。なお、ここでの説明は、携帯端末装置２ａを主体として説明を行う。携帯端末装置２ｂあるいは携帯端末装置２ｃを主体とする動作については、携帯端末装置２ａを主体とする動作と同様であることから、ここでの詳しい説明は省略する。
【００３９】
（共有ディスク３から他端末データを取得する場合）
図３は、携帯端末装置２ａが共有ディスク３から第１他端末データＱ２及び第２他端末データＱ３を取得することによって情報の共有化を行う場合における、携帯端末装置２ａと共有ディスク３の動作を説明するためのフローチャート図である。
【００４０】
図３に示すように、携帯端末装置２ａは、フィールド機器Ｆに関連するデータの収集を行う（ステップＳ１１）。ここでは、制御部２６の制御の下、通信部２１によってフィールド機器Ｆとの通信が行われ、フィールド機器Ｆから取得された情報がデータとして記憶部２５に記憶される。
【００４１】
続いて、携帯端末装置２ａは、自端末データＱ１の作成を行う（ステップＳ１２）。ここでは、データ処理部２６ａが、ステップＳ１１で収集したデータから保全情報に関係する情報を抽出するとともに、これらを他の必要な情報（例えば、作業者によって作成された確認事項）と合わせてパッケージ化することによって自端末データＱ１が作成される。なお、自端末データＱ１は、ネットワーク５を介して送信が可能な形でパッケージ化される。また、このようにして作成された自端末データＱ１は、自端末データ保存部２５ａに保存される。
【００４２】
これらのステップＳ１１及びステップＳ１２の動作は、携帯端末装置２ａがネットワーク５に接続されていない状態で行われる。その後、携帯端末装置２ａがネットワーク５に接続されると、携帯端末装置２ａは、共有ディスク３の情報をネットワーク５経由で取得する（ステップＳ１３）。ここで取得される情報は、共有ディスク３のネットワーク５上における位置を示すＩＰ（Internet Protocol）アドレス等である。
【００４３】
そして、携帯端末装置２ａは、共有ディスク３の位置が特定されると、自端末データＱ１の送信を行う（ステップＳ１４）。ここでは、データ伝搬処理部１０が、自端末データ保存部２５ａに格納された自端末データＱ１を読み出し、ネットワーク５を通じて共有ディスク３に自端末データＱ１を入力する。これによって、図４（ａ）の模式図に示すように、共有ディスク３に対して、自端末データＱ１のコピーが格納される。
【００４４】
共有ディスク３は、自端末データＱ１が入力されると、当該データを格納する（ステップＳ１５）。続いて、携帯端末装置２ａは、共有ディスク３に、自端末データＱ１以外の端末データ（すなわち第１他端末データＱ２あるいは／及び第２他端末データＱ３）が格納されているか否かを検索し、格納されている場合にはこの端末データの出力を要求する。この結果、共有ディスク３は、データの送信を行う（ステップＳ１６）。ここでは、共有ディスク３に第１他端末データＱ２及び第２他端末データＱ３が送信されるものとする。
【００４５】
携帯端末装置２ａは、第１他端末データＱ２及び第２他端末データＱ３を取得し（ステップＳ１７）、パッケージの展開後にデータの更新を行う（ステップＳ１８）。ここでは、携帯端末装置２ａのデータ伝搬処理部１０が、第１他端末データＱ２及び第２他端末データＱ３を受け取り、他端末データ保存部２５ｂに第１他端末データＱ２及び第２他端末データＱ３を書き込む。これによって、図４（ｂ）の模式図に示すように、携帯端末装置２に対して、第１他端末データＱ２のコピー及び第２他端末データＱ３のコピーが格納される。このとき、データ伝搬処理部１０は、他端末データ保存部２５ｂに先に記憶された第１他端末データＱ２あるいは第２他端末データＱ３が存在するときに、後に取得した第１他端末データＱ２あるいは第２他端末データＱ３が、先に他端末データ保存部２５ｂに記憶された第１他端末データＱ２あるいは第２他端末データＱ３よりも新しく生成されたものであるときに、第１他端末データＱ２あるいは第２他端末データＱ３の上書き処理を行う。
【００４６】
このような動作によって、図４（ｂ）に示すように、携帯端末装置２ａに、自端末データＱ１、第１他端末データＱ２及び第２他端末データＱ３が集まる。これによって、携帯端末装置２ａに対して全ての携帯端末装置２で取得した保全情報が集まり、情報の共有化が完了する。そして、各携帯端末装置２が上述と同様の動作を行うことにより、全ての携帯端末装置２において、フィールド機器Ｆに紐付けられた保全情報が共有化される。
【００４７】
このように、携帯端末装置２ａがネットワークに接続されたときに、このネットワーク５を介して接続される共有ディスク３から、他の携帯端末装置２ｂ及び携帯端末装置２ｃで生成された第１他端末データＱ２及び第２他端末データＱ３を自動的に一括して取得するようにしたことで、情報を簡単に共有化することができる。
【００４８】
また、携帯端末装置２ａには、第１他端末データＱ２及び第２他端末データＱ３がそのまま受け渡されて保存されるため、逐次データのソートを行う必要がない。よって、頻繁に第１他端末データＱ２及び第２他端末データＱ３を受け取ったとしても、携帯端末装置２ａへの負荷は大きくならない。
【００４９】
図５は、携帯端末装置２ａにおいて、共有化された保全情報の表示例を示した模式図である。携帯端末装置２ａのデータ表示処理部２０は、この図に示すように、自端末データＱ１、第１他端末データＱ２及び第２他端末データＱ３から、特定のフィールド機器Ｆに紐つけられた保全情報を抽出し、これらを時系列的に統合することによってリストを作成し、このリストを表示部２２で表示する。このように、特定のフィールド機器Ｆに紐つけられた保全情報をソートして表示することによって、作業者に対して視認性の高い情報を提供することができる。
【００５０】
なお、表示部２２には、必ずしも特定のフィールド機器Ｆに紐つけられた保全情報の全ての表示する必要はない。この場合には、一部の保全情報のみをソートすれば良くなり、リストの作成を高速で完了させることができる。
【００５１】
（他の携帯端末装置２から他端末データを取得する場合）
図６は、携帯端末装置２ａが他の携帯端末装置２（携帯端末装置２ｂ）から第１他端末データＱ２及び第２他端末データＱ３を取得することによって情報の共有化を行う場合における、携帯端末装置２ａと携帯端末装置２ｂの動作を説明するためのフローチャート図である。
【００５２】
図６に示すように、携帯端末装置２ａは、フィールド機器Ｆに関連するデータの収集を行う（ステップＳ２１）。このステップＳ２１は、上述したステップＳ１１と同様の処理である。続いて、携帯端末装置２ａは、自端末データＱ１の作成を行う（ステップＳ２２）。このステップＳ２２は、上述したステップＳ１２と同様の処理である。
【００５３】
続いて、携帯端末装置２ａは、ネットワーク５に接続され、情報の共有が許可された他の携帯端末装置２がネットワーク５に接続されているかを検索する。ここでは、携帯端末装置２ｂがネットワーク５に接続されているものとする。そこで、携帯端末装置２ａは、情報の共有が許可された携帯端末装置２ｂの情報を取得する（ステップＳ２３）。ここで取得される情報は、携帯端末装置２ｂのネットワーク５上における位置を示すＩＰ（Internet Protocol）アドレス等である。
【００５４】
携帯端末装置２ａは、携帯端末装置２ｂの位置が特定されると、自端末データＱ１を送ることなく、携帯端末装置２ｂに、第１他端末データＱ２の出力を要求する。この結果、携帯端末装置２ｂは、データの送信を行う（ステップＳ２４）。また、携帯端末装置２ａは、携帯端末装置２ｂに第２他端末データＱ３が格納されているか否かを検索し、格納されている場合にはこの第２他端末データＱ３の出力を合わせて要求する。この結果、携帯端末装置２ｂは、ステップＳ２４で、第２他端末データＱ３も送信する。
【００５５】
携帯端末装置２ａは、第１他端末データＱ２及び第２他端末データＱ３を取得し（ステップＳ２５）、パッケージの展開後にデータの更新を行う（ステップＳ２６）。これらのステップＳ２５及びステップＳ２６は、上述のステップＳ１７及びステップＳ１８と同様の処理である。
【００５６】
このような動作を各携帯端末装置２が行うことによって、自端末データＱ１、第１他端末データＱ２及び第２他端末データＱ３が全ての携帯端末装置２に展開されて共有化される。図７は、全ての携帯端末装置２において、自端末データＱ１、第１他端末データＱ２及び第２他端末データＱ３が共有化される様子の一例を示した模式図である。
【００５７】
例えば、携帯端末装置２ａに自端末データＱ１が格納され、携帯端末装置２ｂに第１他端末データＱ２が格納され、携帯端末装置２ｃに第２他端末データＱ３が格納されている状態において、携帯端末装置２ｂと携帯端末装置２ｃとがネットワーク５に同時接続されると、携帯端末装置２ｂと携帯端末装置２ｃとが互いに図６の処理を行うことによって、図７（ａ）に示すように、携帯端末装置２ｂに第２他端末データＱ３のコピーが格納され、携帯端末装置２ｃに第１他端末データＱ２のコピーが格納される。
【００５８】
続いて、図７（ｂ）に示すように、携帯端末装置２ａと携帯端末装置２ｂとがネットワーク５に同時接続されると、携帯端末装置２ａに第１他端末データＱ２のコピー及び第２他端末データＱ３のコピーが格納され、携帯端末装置２ｂに自端末データＱ１のコピーが格納される。なお、携帯端末装置２ａの第１他端末データＱ２及び第２他端末データＱ３は、携帯端末装置２ｂの第１他端末データＱ２及び第２他端末データＱ３より新しく作成されたものではない。このため、携帯端末装置２ｂは、携帯端末装置２ａの第１他端末データＱ２及び第２他端末データＱ３が送信されても、第１他端末データＱ２及び第２他端末データＱ３を更新（上書き）しない。
【００５９】
続いて、図７（ｃ）に示すように、携帯端末装置２ａと携帯端末装置２ｃとがネットワーク５に同時接続されると、携帯端末装置２ｃに自端末データＱ１のコピーが格納される。これによって、全ての携帯端末装置２において、自端末データＱ１、第１他端末データＱ２及び第２他端末データＱ３が共有化される。なお、携帯端末装置２ａの第１他端末データＱ２及び第２他端末データＱ３は、携帯端末装置２ｃの第１他端末データＱ２及び第２他端末データＱ３より新しく作成されたものではない。このため、携帯端末装置２ｃは、携帯端末装置２ａの第１他端末データＱ２及び第２他端末データＱ３が送信されても、第１他端末データＱ２及び第２他端末データＱ３を更新（上書き）しない。
【００６０】
なお、全ての携帯端末装置２において、自端末データＱ１、第１他端末データＱ２及び第２他端末データＱ３が共有化される流れは、図７に示すものに限定されるものではない。例えば携帯端末装置２ａと、携帯端末装置２ｂと、携帯端末装置２ｃとがネットワーク５に同時接続されたときには、各携帯端末装置２が図６のフローチャート図に示す動作を行うことで、全ての携帯端末装置２において、自端末データＱ１、第１他端末データＱ２及び第２他端末データＱ３が共有化される。
【００６１】
このように、携帯端末装置２同士の間で端末データの受渡しを行うことによって、共有ディスク３を用いることなく、情報の共有化を行うことができる。このため、例えば共有ディスク３を設けないような構成を採用することもできる。
【００６２】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００６３】
例えば、上記実施形態においては、各携帯端末装置２において共有化される情報がフィールド機器Ｆの保全情報が含まれる端末データであるとした。しかしながら、端末データに換えて、フィールド機器Ｆの調整を行うための機種情報（一般的にＤＤ）等設定データを共有化することも可能である。
【００６４】
また、携帯端末装置２としては、高度なデータ処理を行う必要がなく、ファイル保存機能及びネットワーク機能を有していれば良いことから、例えば、Handheld Terminal等のデバイスを用いることも可能である。すなわち、本発明におけるコンピュータは、このようなデバイスを含む概念である。
【００６５】
また、例えば、複数の携帯端末装置２の一部をフィールド機器Ｆの設定機能を有さず、ビューワー機能のみを有するデバイス（タブレット端末）としても良い。この場合には、当該デバイスでも、自端末データＱ１、第１他端末データＱ２及び第２他端末データＱ３を共有化することができる。
【符号の説明】
【００６６】
１  フィールド機器設定システム、２  携帯端末装置（機器設定装置、機器設定手段、外部記憶手段）、３  共有ディスク（外部記憶手段、共有記憶手段）、４  端末装置、５  ネットワーク、１０  データ伝搬処理部（データ伝搬処理手段）、２０  データ表示処理部、２５ａ  自端末データ保存部（自装置情報保存部）、２５ｂ  他端末データ保存部（他装置情報保存部）、２５ｃ  プログラム記憶部、２６  制御部、２６ａ  データ処理部、２６ｂ  データ統合部、Ｆ  フィールド機器、Ｍ  リムーバブルメディア（記憶媒体）、Ｐ  プログラム（機器設定プログラム）、Ｑ１  自端末データ（自装置情報）、Ｑ２  第１他端末データ（他装置情報）、Ｑ３  第２他端末データ（他装置情報）
【図１】
0005954342.tif 000002
【図２】
0005954342.tif 000003
【図３】
0005954342.tif 000004
【図４】
0005954342.tif 000005
【図５】
0005954342.tif 000006
【図６】
0005954342.tif 000007
【図７】
0005954342.tif 000008